(57)【要約】【課題】コストをかけずにストロボ回路基板への高密度実装を可能にする。【解決手段】回路基板３５の表面には配線パターン４３が形成され、裏面側から回路部品４７，４８のリード端子４７ａ，４８ａを貫通させて、ストロボ回路の配線パターン４３にはんだ付けしている。ガイドプレート３２には、リード端子４７ａ，４８ａをジャンパ接続するためのジャンパ回路が板状の金属部材４５をインサート成形することで設けられている。ガイドプレート３２のリード端子４７ａ，４８ａに対応する部分には、板状の金属部材４５に切込み部４５ａが形成されており、弾性変形可能な切片４５ｂ、４５ｃを備えている。ガイドプレート３２を回路基板３５の表面側に取り付けると、リード端子４７ａ，４８ａは切片４５ｂ、４５ｃによって挟持されて電気的に接続され、その上から接着剤５０が充填されて固定される。【選択図】        図４
2004212454.tif 000002
【特許請求の範囲】
【請求項１】
電気回路を構成する複数の回路部品が配線パターン上に実装された回路基板と、プラスチックで形成された樹脂部材とを備えたレンズ付きフイルムユニットにおいて、
前記樹脂部材に導電部を形成し、この導電部を回路基板の配線パターンに接続して、前記電気回路の一部を構成することを特徴とするレンズ付きフイルムユニット。
【請求項２】
前記導電部にランドを設け、前記回路部品の一部を実装したことを特徴とする請求項１記載のレンズ付きフイルムユニット。
【請求項３】
前記配線パターンと導電部との電気的な接続は、前記回路部品に含まれるリード部品の回路基板より突出したリード端子を用いて行なわれることを特徴とする請求項１又は２記載のレンズ付きフイルムユニット。
【請求項４】
撮影に用いられる電気回路と、プラスチックで成形された樹脂部材とを備えたレンズ付きフイルムユニットにおいて、
前記樹脂部品に導電部からなる配線パターンを形成し、電気回路を構成する電気部品のすべてを実装したことを特徴とするレンズ付きフイルムユニット。
【請求項５】
前記導電部は、インサート成形、蒸着、貼着の少なくとも一つを用いて形成されることを特徴とする請求項１ないし４いずれか記載のレンズ付きフイルムユニット。
【発明の詳細な説明】
【０００１】
【発明の属する技術分野】
本発明は、レンズ付きフイルムユニットに関しさらに詳しくはレンズ付きフイルムユニットに組み込まれた電気回路に関するものである。
【０００２】
【従来の技術】
簡易型のカメラとして、未露光の写真フィルムが予め装填されたレンズ付きフイルムユニットがよく知られている。このレンズ付きフイルムユニットには用途に応じて様々な機種があるが、その中でも夜間や室内など暗い場所での撮影が行えるようにストロボ装置を組み込んだものが普及している。また近年、レンズ付きフイルムユニットの携帯性を更に向上させ、使い勝手を良くする為にユニット本体を小型化したコンパクトタイプのものも販売されている。
【０００３】
レンズ付きフイルムユニットの電源電池を含むストロボ装置は、レンズ付きフイルムユニット本体の内部スペースを占める割合が大きい。そのため、レンズ付きフイルムユニットを小型化するには、ストロボ回路基板の面積を小さくする必要がある。ストロボ回路基板は、一般的に安価な片面基板が使用されており、限られたスペースの中にストロボ回路や制御回路を収めなければならない。そのため、ストロボ回路基板の面積を小さくすると配線パターンの引きまわしや回路部品の取付けが困難になる。
【０００４】
そのため回路部品の実装密度を高める従来技術としては、線状又は板状等の金属片を絶縁防止樹脂で覆い、この金属片の両端部を回路基板に実装させて表面実装型ジャンパ部品としている（例えば、特許文献１参照）。また、第一の電子部品の実装された主プリント配線板上に、第一の電子部品を覆うように副プリント配線板上にも第二の電子部品を実装する構成としている（例えば、特許文献２参照）。また、接続パターンを設けた回路基板の上面に単体の電子部品を実装し、下面にハンダ電極を接合した単体実装基板の接続パターン上に、他の単体実装基板のハンダ電極を位置合わせして実装することで、単体実装基板を多層化させている（例えば、特許文献３参照）。その他にも、一般的には表面実装部品を用いたり、複数部品の機構をＩＣ化することで実装面積を少なくすることも行われている。
【０００５】
【特許文献１】
実開平６−５０３７７号公報
【特許文献２】
特開平９−２１４０９７号公報
【特許文献３】
特開平１０−１３５２６７号公報
【０００６】
【発明が解決しようとする課題】
しかしながら、上記したようにジャンパ部品を使用しても、ジャンパ部品を実装させるための実装面積が回路基板に必要なため、部品の実装可能面積が増加しない。特許文献２や特許文献３のように副プリント配線板などの複数回路基板構成及び多層回路基板構成にすると、回路基板を増やすこと自体がコストアップとなり、設置スペースも大きくなる。ストロボ回路の主要部品であるトランス、コイル、メインコンデンサなどは、表面実装部品やＩＣ化にする事が難しく、仮に表面実装部品やＩＣ化ができたとしても高価なものとなってしまう。
【０００７】
本発明は、上記問題点を解決するためになされたものであり、コストをかけずに、限られたスペースにストロボ回路や制御回路を構成できるレンズ付きフイルムユニットを提供することを目的とする。
【０００８】
【課題を解決するための手段】
電気回路を構成する複数の回路部品が配線パターン上に実装された回路基板と、プラスチックで形成された樹脂部材とを備えたレンズ付きフイルムユニットにおいて、樹脂部材に導電部を形成し、この導電部を回路基板の配線パターンに接続して、電気回路の一部を構成したものである。
【０００９】
導電部にランドを設け、回路部品の一部を実装したものである。
【００１０】
配線パターンと導電部との電気的な接続は、回路部品に含まれるリード部品の回路基板より突出したリード端子を用いて行なわれるものである。
【００１１】
撮影に用いられる電気回路と、プラスチックで成形された樹脂部材とを備えたレンズ付きフイルムユニットにおいて、樹脂部品に導電部からなる配線パターンを形成し、電気回路を構成する電気部品のすべてを実装したものである。
【００１２】
導電部は、インサート成形、蒸着、貼着の少なくとも一つを用いて形成されるものである。
【００１３】
【発明の実施の形態】
本発明を実施したレンズ付きフイルムユニットを図１に示す。レンズ付きフイルムユニット２は、予め未露光の写真フイルムが装填され、各種撮影機構が組み込まれたユニット本体３と、このユニット本体３を部分的に覆う外装ラベル４とから構成されている。
【００１４】
ユニット本体３の上面には、シャッタボタン５，カウンタ窓６，ライトガイド７が、前面にはファインダ８，撮影レンズ９，ストロボ発光部１０，スライド式のスイッチノブ１１が、背面側には１コマの撮影毎に回動操作される巻上げノブ１２が、それぞれ露呈されている。
【００１５】
図２はレンズ付きフイルムユニットの分解図である。レンズ付きフイルムユニット２は、本体基部１３と、この本体基部１３の前面及び後面側から覆うように配置される前カバー１４及び後カバー１５とから構成される。本体基部１３の左右には、カートリッジ室１６及びフイルムロール室１７とが形成されており、フイルムカートリッジ１８及び写真フイルム１９をロール状にしたフイルムロール１９ａとがそれぞれ装填される。カートリッジ室１６の上部には巻上げノブ１２が配置され、この巻上げノブ１２の下部には、フイルムカートリッジ１８のスプールに係合される軸部材が形成されている。この巻上げノブ１２を図中反時計方向に回動させることにより、撮影済みの写真フイルム１９がフイルムカートリッジ１８の内部に巻き上げられる。
【００１６】
カートリッジ室１６とフイルムロール室１７との間には露光ユニット２１が設けられており、この露光ユニット２１には、シャッタ機構、フイルム巻止め機構、残り撮影可能コマ数を表示するためのカウンタ機構、ファインダ等の各メカ機構が組み付けられている。また、露光ユニット２１の前面中央には露光開口が形成されており、その前面にシャッタ羽根、レンズホルダが取り付けられている。
【００１７】
ストロボ装置２２は、回路基板３５の表面にストロボ回路の配線パターン４３を備え、ストロボ発光部１０、ストロボ回路用の各種回路部品、電源電池３０等を組付けてユニット化したものである。ストロボ装置２２は露光ユニット２１とフイルムロール室１７の間に取付けられ、ストロボ装置２２と前カバー１４の間には、樹脂製のスライドプレート３１とガイドプレート３２が組み付けられている。このスライドプレート３１には、ストロボ電源スイッチをオン／オフさせるスイッチノブ１１が一体に成形されており、スイッチノブ１１は前カバー１４の開口部より露呈している。ガイドプレート３２は、前カバー１４より露呈したスイッチノブ１１の操作によってスライドプレート３１を上下方向に案内作用するものである。
【００１８】
図３にも示すように、ストロボ装置２２は、回路基板３５にストロボ発光部１０、メインコンデンサ３６、シンクロスイッチ３７、ストロボスイッチ３８、電源電池３０を保持し給電を行う金属片３９ａ、３９ｂ等が実装されている。ストロボ電源スイッチ３８は、スライドプレート３１をオン位置にスライドさせることにより、スライドプレート３１の背後に設けられた突起部（図示せず）がストロボ電源スイッチ３８を押圧し、弾性変形させてストロボ回路基板３５上の接点３８ａに接触させることによってオンとなる。ストロボ電源スイッチ３８は、充電開始と発光開始のスイッチを兼ねており、オンとなるとストロボ装置２２の充電回路が作動してメインコデンサ３６の充電が行われるとともに、ストロボ発光が許容される。ストロボスイッチ３８がオフのときには、充電が停止されるとともに発光が禁止される。
【００１９】
シンクロスイッチ３７は、上下に並べて配された一対の接片からなり、シャッタ機構が作動されたときにシャッタ羽根で上側の接片が押圧されて下側の接片に接触することによりオンとなる。このシンクロスイッチ３７のオンにより、メインコンデンサ３６が放電されてストロボ発光部１０からストロボ光が放出される。
【００２０】
ガイドプレート３２には、回路基板３５に実装されている回路部品同士をジャンパ接続するための導電部であるジャンパ回路が、導電性の金属部材４５をインサート成形することによって備えられている。金属部材４５には、ジャンパ回路と回路基板３５の配線パターン４３を電気的に接続させるための切込み部４５ａが、ガイドプレート３２を回路基板３５の表面側に組み付けたときに、回路基板３５より突出しているリード端子に対応する位置に備えられている。
【００２１】
図３の拡大図に示すように、切込み部４５ａは、板状の金属部材４５に切り込みが入れられて、弾性変形可能とされた切片４５ｂ、４５ｃからなる。回路部品同士をジャンパ接続する際には、回路基板３５より突出したリード端子の先端部を直接この切込み部４５ａへ差込み固定する。また、ジャンパ回路上には回路部品を接続させるランドが設けてある。このランドは、回路基板３５でジャンパ接続間に実装されていた回路部品５１を実装させるものである。そのため、回路基板３５上の回路部品が少なくなるので部品実装可能面積を増やすことができる。
【００２２】
図４に示すように、回路基板３５に実装された回路部品４７，４８は、リード端子４７ａ，４８ａを有しており、回路基板３５の裏面からリード端子４７ａ，４８ａを挿入穴４２に貫通させ、回路基板３５の表面に形成されたストロボ回路の配線パターン４３にはんだ付けされ固定されている。
【００２３】
ガイドプレート３２は、回路基板３５の表面から突出したリード端子４７ａ，４８ａをジャンパ接続するための、板状の金属部材４５がインサート成形されてジャンパ回路を形成している。ガイドプレート３２が回路基板３５の前面側に組み付けられたときに、ガイドプレート３２の回路基板３５の表面から突出したリード端子４７ａ，４８ａに対応する部分では、開口部４６より金属部材４５に形成された切込み部４５ａが露呈している。
【００２４】
ガイドプレート３２が回路基板３５の表面側に組みつけられると、リード端子４７ａ、４８ａの先端部が切込み部４５ａの切片４５ｂ、４５ｃを押し広げて差し込まれる。弾性変形可能な切片４５ｂ、４５ｃは、リード端子４７ａ、４８ａの外側の面を挟持してガイドプレート３２を回路基板３５の表面側で固定すると共に、配線パターン４３と金属部材４５により形成されたジャンパ回路との電気的な接続を行なう。また、切込み部４５ａとリード端子４７ａ、４８ａとの接続を安定させるために、切片４５ｂ，４５ｃとリード端子４７ａ，４８ａが露呈している開口部４６に接着剤５０を充填し固着している。
【００２５】
なお、リード端子４７ａ，４８ａと金属部材４５の切片４５ｂ，４５ｃの固定には接着剤５０のみを使用したが、ハンダを併用して確実な固定と電気的な導通を得てもよい。
【００２６】
以上、上記構成による作用について説明する。樹脂製のガイドプレート３２に、導電性の金属部材４５をインサート成型することによって、ストロボ回路のジャンパ回路を形成する。このジャンパ回路上に切込み部４５ａを設け、回路基板３５より突出したリード端子をこの切込み部４５ａに差し込ことにより、回路基板３５の配線パターン４３とジャンパ回路を電気的に接続する。さらに、ジャンパ回路に接続する回路部品用のランドを、ジャンパ回路に設けて回路部品を接続させる。これにより、回路基板３５上にはより多くの配線パターン４３を高密度に成型することができる。
【００２７】
また、ガイドプレート３２や本体基部１３等の樹脂部材にストロボ回路の配線パターン４３のすべてを形成させ、回路部品を取り付けることで、回路基板３５のないレンズ付きフイルムユニットが提供できる。
【００２８】
図５に示すように、本体基部１３に一体に形成されているフイルムロール室１７にはメインコンデンサ３６やストロボ発光部１０等のストロボ装置を構成する一部の回路部品が取り付けられている。ガイドプレート３２にはストロボ回路の配線パターン４３がインサート成型され、本体基部１３に取り付けられた部品以外の回路部品が実装されている。
【００２９】
ガイドプレート３２を本体基部１３に組み付けると、メインコンデンサ３６のリード端子の先端部を、ガイドプレート３２に備えられた切込み部４５ａに差し込みストロボ装置が形成される。このため、回路基板３５を持たない基板レスなレンズ付きフイルムユニットが提供できる。
【００３０】
なお、本実施例では板状の金属部材４５をガイドプレート３２にインサート成形したが、金属箔などをガイドプレート３２などの樹脂部材の表面に蒸着させたり、貼り付けてもよい。
【００３１】
【発明の効果】
以上に述べたように、本発明によれば、樹脂部材に形成した導電部で電気回路の配線パターンの一部を形成し、さらに、この導電部にランドを設けて回路部品の一部を実装し、回路基板の配線パターンと導電部を回路基板より突出しているリード端子によって接続したので、回路基板上により多くの回路部品及び配線パターンの配置面積を得ることができるので、コストをかけずにより高密度な電気回路を形成することができる。
【００３２】
樹脂部材に形成された導電部によって、電気回路の配線パターンと電気回路を構成するすべての電気部品を実装し、回路基板を使用しないことで、コスト削減と多くの部品設置スペースを確保することができる。
【図面の簡単な説明】
【図１】レンズ付きフイルムユニットの外観斜視図である。
【図２】レンズ付きフイルムユニットの分解斜視図である。
【図３】本発明を使用したストロボ装置の斜視図である。
【図４】本発明を使用した回路部品実装時の断面図である。
【図５】回路基板を使用しないレンズ付きフイルムユニットの斜視図である。
【符号の説明】
２  レンズ付きフイルムユニット
１１  スイッチノブ
２２  ストロボ装置
３１  スライドプレート
３２  ガイドプレート
３５  回路基板
４３  配線パターン
４５  板状の金属部材
４７、４８  回路部品
５０  接着剤
【図１】
2004212454.tif 000003
【図２】
2004212454.tif 000004
【図３】
2004212454.tif 000005
【図４】
2004212454.tif 000006
【図５】
2004212454.tif 000007